(57)【要約】【課題】簡易な方法で医療用スタンド装置を対象物に適切に固定することのできる技術を提供する。【解決手段】本発明の一側面に係る医療用スタンド装置は、フレームを有する対象物に隣接して配置され、医療用器具を支持する医療用スタンドであって、前記医療用器具を保持するための支柱と、前記支柱の軸方向の下端側で前記支柱を支持する脚部と、前記支柱に取り付けられ、当該支柱の軸方向に固定されずに移動自在な基部、及び前記基部に取り付けられ、前記対象物のフレームに係合可能な係合部、を有するフックユニットと、を備える。【選択図】図１
2015146869.tif 000002
【特許請求の範囲】
【請求項１】
フレームを有する対象物に隣接して配置され、医療用器具を支持する医療用スタンドであって、
前記医療用器具を保持するための支柱と、
前記支柱の軸方向の下端側で前記支柱を支持する脚部と、
前記支柱に取り付けられ、当該支柱の軸方向に固定されずに移動自在な基部、及び前記基部に取り付けられ、前記対象物のフレームに係合可能な係合部、を有するフックユニットと、
を備える、
医療用スタンド装置。
【請求項２】
前記係合部は、前記支柱の径方向に前記基部から進退可能に構成され、
前記フックユニットは、前記基部から前記係合部の延びる長さを調節する調節機構を有する、
請求項１に記載の医療用スタンド装置。
【請求項３】
前記基部よりも前記軸方向下側に配置され、前記軸方向における前記基部の下方向の移動を規制する第１ストッパを更に備える、
請求項１又は２に記載の医療用スタンド装置。
【請求項４】
前記第１ストッパよりも前記軸方向上側に配置され、前記軸方向における前記基部の移動範囲を前記第１ストッパと共に規定する第２ストッパを更に備える、
請求項３に記載の医療用スタンド装置。
【請求項５】
前記脚部は、前記支柱の径方向に延びる複数の脚材であって、前記医療用スタンドが前記対象物としてベッドに隣接して配置される際に当該ベッドの下に収納可能なように所定角度の範囲内に存在する複数の脚材で構成される、
請求項１から４のいずれか１項に記載の医療用スタンド装置。
【発明の詳細な説明】
【技術分野】
【０００１】
本発明は、医療用スタンドに関する。
【背景技術】
【０００２】
ベッドに固定することのできる医療用スタンド装置として、処置液収容体を支持する支柱の下部が基台に対して着脱可能に取り付けられた点滴スタンドであって、基台において、開閉可能なチャック部材を設けて、当該チェック部材の開状態で支柱の下部を側方から出し入れ可能とすると共に、当該チャック部材の閉状態で支柱の下部を把持して支持可能とした点滴スタンドが提案されている（特許文献１）。
【先行技術文献】
【特許文献】
【０００３】
【特許文献１】特開２０１３−０５２２３０号公報
【発明の概要】
【発明が解決しようとする課題】
【０００４】
このような医療用スタンド装置をベッド等の対象物に固定するためには、医療用スタンド装置の基台から支柱を取り外し、取り外した支柱をベッドの固定支持部に移設する作業を利用者等が行わなければならない。そのため、医療用スタンド装置を伴ってベッドから離れる度にこのような支柱の移設を利用者は行わなければならず、医療用スタンドをベッドに固定するのは面倒であるという問題点があった。
【０００５】
本発明は、一側面では、このような点を考慮してなされたものであり、簡易な方法で医療用スタンド装置をベッド等の対象物に適切に固定することのできる技術を提供することを目的とする。
【課題を解決するための手段】
【０００６】
本発明は、上述した課題を解決するために、以下の構成を採用する。
【０００７】
すなわち、本発明の一側面に係る医療用スタンド装置は、フレームを有する対象物に隣接して配置され、医療用器具を支持する医療用スタンドであって、前記医療用器具を保持するための支柱と、前記支柱の軸方向の下端側で前記支柱を支持する脚部と、前記支柱に取り付けられ、当該支柱の軸方向に固定されずに移動自在な基部、及び前記基部に取り付けられ、前記対象物のフレームに係合可能な係合部、を有するフックユニットと、を備える。
【０００８】
当該構成によれば、フックユニットの基部は、支柱の軸方向に固定されずに移動自在に取り付けられている。そのため、フックユニットを支柱の軸方向に自在に動かすことができ、対象物のフレームに容易に係合させることができる。また、このフックユニットは、支柱の軸方向に自在に移動できるため、対象物の高さの変更に追従することができる。そのため、利用者がフックユニットを操作して、対象物のフレームから係合部を外さない限り、フックユニットは、対象物のフレームに係合した状態を維持することができる。
【０００９】
したがって、上記構成によれば、簡易な方法で医療用スタンド装置を対象物に適切に固定することができる。なお、この対象物には、例えば、ベッド、可動机、窓等が含まれる。また、このベッドのフレームには、例えば、ベッドのサイドフレームに設けられる柵、ヘッドボード、フットボード等が含まれる。
【００１０】
また、上記一側面に係る医療用スタンド装置の別の形態として、前記係合部は、前記支柱の径方向に前記基部から進退可能に構成されてよく、前記フックユニットは、前記基部から前記係合部の延びる長さを調節する調節機構を有してもよい。当該構成によれば、係合部の延びる長さを調節できるようになるため、対象物のフレームに係合部を係合させやすくなり、医療用スタンド装置を容易に対象物に固定することができるようになる。
【００１１】
また、上記一側面に係る医療用スタンド装置の別の形態として、上記医療用スタンド装置は、前記基部よりも前記軸方向下側に配置され、前記軸方向における前記基部の下方向の移動を規制する第１ストッパを更に備えてもよい。当該構成によれば、フックユニットが支柱の下端に移動するのを防止することができる。そのため、フックユニットを利用しない場合に、フックユニットが支柱の下端まで落下してしまい、フックユニットが脚部に干渉するのを防ぐことができる。
【００１２】
また、上記一側面に係る医療用スタンド装置の別の形態として、上記医療用スタンド装置は、前記第１ストッパよりも前記軸方向上側に配置され、前記軸方向における前記基部の移動範囲を前記第１ストッパと共に規定する第２ストッパを更に備えてもよい。当該構成によれば、フックユニットの軸方向の移動範囲を規定することができる。そのため、フックユニットが干渉する範囲を限定的にすることができるため、医療用スタンド装置を利用しやすくすることができる。
【００１３】
また、上記一側面に係る医療用スタンド装置の別の形態として、前記脚部は、前記支柱の径方向に延びる複数の脚材であって、前記医療用スタンドが前記対象物としてベッドに隣接して配置される際に当該ベッドの下に収納可能なように所定角度の範囲内に存在する複数の脚材で構成されてもよい。当該構成によれば、医療用スタンド装置をベッドに隣接して配置した場合に、脚部を構成する複数の脚材をベッドの下に収納することができる。そのため、医療用スタンド装置の脚部が、ベッド周辺を移動する者の邪魔にならないようにすることができる。
【発明の効果】
【００１４】
本発明によれば、簡易な方法で医療用スタンド装置を対象物に固定することができる。
【図面の簡単な説明】
【００１５】
【図１】図１は、実施の形態に係る医療用スタンド装置の全体構成を例示する。
【図２】図２は、実施の形態に係る脚部の構成を例示する。
【図３】図３は、実施の形態に係るタブレットホルダの構成を例示する。
【図４】図４は、実施の形態に係るカメラホルダの構成を例示する。
【図５】図５は、実施の形態に係るフックユニットの構成を例示する。
【図６】図６は、実施の形態に係るフックユニットの構成を例示する分解斜視図である。
【図７】図７は、実施の形態に係るフックユニットの構成を例示する底面分解斜視図である。
【図８】図８は、実施の形態に係るフックユニットの構成を例示する底面斜視図である。
【図９】図９は、実施の形態に係る係合部の突出長を短くした場合におけるフックユニットの状態を例示する。
【図１０】図１０は、実施の形態に係る係合部の突出長を長くした場合におけるフックユニットの状態を例示する。
【図１１】図１１は、実施の形態に係る医療用スタンド装置の使用状態を例示する。
【図１２】図１２は、実施の形態に係る医療用スタンド装置を固定する対象物を例示する。
【図１３】図１３は、実施の形態に係る医療用スタンド装置を固定する対象物を例示する。
【発明を実施するための形態】
【００１６】
以下、本発明の一側面に係る実施の形態（以下、「本実施形態」とも表記する）を、図面に基づいて説明する。ただし、以下で説明する本実施形態は、あらゆる点において本発明の例示に過ぎない。本発明の範囲を逸脱することなく種々の改良や変形を行うことができることは言うまでもない。つまり、本発明の実施にあたって、実施形態に応じた具体的構成が適宜採用されてもよい。
【００１７】
§１  構成例
［全体構成］
まず、図１を用いて、本実施形態に係る医療用スタンド装置１０の全体構成を説明する。図１は、本実施形態に係る医療用スタンド装置１０の全体構成を例示する。なお、説明の便宜のため、図１のｘ軸方向を「前後」と、図１のｙ軸方向を「左右」と、図１のｚ軸方向を「上下」と称することとする。この上下方向（ｚ軸方向）は、図１で例示されるように、本発明の「軸方向」に相当する。また、ｘｙ平面に沿う任意の方向（例えば、前後方向、左右方向）が本発明の「径方向」に相当する。図２以降についても同様に、これらの方向の名称を利用する。
【００１８】
本実施形態に係る医療用スタンド装置１０は、図１で例示されるように、上下方向に延びる円柱状の支柱１と、支柱１の軸方向（図の上下方向）の下端側で支柱１を支持する脚部２と、支柱１の軸方向に移動自在に取り付けられたフックユニット３と、を備えている。支柱１は、タブレットホルダ４及びカメラホルダ６を介して、タブレットＰＣ（Personal Computer）５及びカメラ７を保持している。
【００１９】
本実施形態に係るタブレットＰＣ５及びカメラ７は、見守り対象者を見守るための見守りシステムを構成し、本発明の「医療用器具」に相当する。本実施形態では、カメラ７は、見守り対象者を含んでベッド周辺の状況を撮影する。そして、タブレットＰＣ５は、カメラ７により撮影された撮影画像を解析して、見守り対象者の行動を推定する。この推定結果に基づいて、見守りシステムは見守り対象者の見守りを行うことができる。
【００２０】
［脚部２］
次に、図１及び図２を用いて、支柱１を支持する脚部２を説明する。図２は、本実施形態に係る脚部２の構成を例示する。本実施形態に係る脚部２は、図１及び図２で例示されるように、台形状の基台部２０と、基台部２０の前方（ｘ軸正の方向）側の側面の左右両側から前方に延びる一対の脚材（２１、２２）と、を備える。
【００２１】
基台部２０は、後方（ｘ軸負の方向）側がやや下方に傾斜した形状となっている。また、基台部２０の上面の前方側中央には、支柱１の下端を挿入するための円筒状の挿入穴２０１が設けられている。挿入穴２０１は、支柱１の下端の形状に対応するように形成され、支柱１の下端を固定できるようになっている。
【００２２】
一方、第１脚材２１及び第２脚材２２は、所定角度をあけて配置され、基台部２０から前方に延びている。第１脚材２１及び第２脚材２２の角度は、実施の形態に応じて適宜設定されてよく、例えば、本実施形態のようにベッドの下に収納可能な角度に設定される。また、第１脚材２１及び第２脚材２２の厚さ（上下方向の長さ）は、ベッドの下に収納できるように、比較的に薄く設定される。
【００２３】
これら一対の脚材（２１、２２）の下端面にはそれぞれ、医療用スタンド装置１０の水平方向（ｘｙ平面に沿う任意の方向）の自在に移動できるように、１又は複数のキャスターが設けられてもよい。この場合、更に、医療用スタンド装置１０のキャスターによる移動を規制するように、当該キャスターをロックするロック機構が設けられてもよい。
【００２４】
なお、本実施形態では、基台部２０の内部は空洞になっている（不図示）。この基台部２０の内部空間には、タブレットＰＣ５及びカメラ７のアダプタ等を収納することができる。そして、タブレットＰＣ５及びカメラ７のアダプタ等を基台部２０の内部空間に収納することで、脚部２の重量を重くして、医療用スタンド装置１０の重心の位置を低くすることができる。これにより、医療用スタンド装置１０のバランスを高めることができる。
【００２５】
なお、タブレットＰＣ５及びカメラ７のアダプタをそれぞれ基台部２０の内部空間に収納する場合、それぞれの重心が支柱１よりも後方に位置するように各アダプタは配置されてもよい。すなわち、基台部２０の内部空間に収納される１又は複数の構成要素はそれぞれ、支柱１の挿入される挿入穴２０１を介して、前方に延びる一対の脚部（２１、２２）の反対側に配置されてもよい。これにより、医療用スタンド装置１０の水平方向のバランスを調節することができる。
【００２６】
［タブレットホルダ４］
次に、図１及び図３を用いて、本実施形態に係るタブレットホルダ４を説明する。図３は、本実施形態に係るタブレットホルダ４を後方からみた構成を例示する。図１及び図３で例示されるように、タブレットホルダ４は、支柱１を把持する円筒状の支柱把持部４０と、タブレットＰＣ５を保持するタブレット保持部４１と、支柱把持部４０による支柱１の把持する強度を調節するための固定用ノブ４２と、を備えている。
【００２７】
タブレット保持部４１は、タブレットＰＣ５を保持できるように、保持対象のタブレットＰＣ５の外形に対応して形成される。また、支柱把持部４０は、タブレットホルダ４を支柱１に固定することができるように、支柱１の外周形状に対応して形成される。支柱把持部４０が支柱１を把持する強度は固定用ノブ４２によって調節することができる。すなわち、利用者は、固定用ノブ４２を操作することで、支柱把持部４０が支柱１を把持する力を弱め、タブレットホルダ４の位置を変更することができる。医療用スタンド装置１０は、このようなタブレットホルダ４を介して、タブレットＰＣ５を支持する。
【００２８】
［カメラホルダ６］
次に、図１及び図４を用いて、本実施形態に係るカメラホルダ６を説明する。図４は、本実施形態に係るカメラホルダ６の構成を例示する。図４で例示されるように、カメラホルダ６は、矩形状の支持台６０と、支持台６０の上方側にカメラ７を取り付けるために設けられる窪み部６１と、支持台６０の下端面から下方に延びる円筒部６２と、を備えている。
【００２９】
窪み部６１は、カメラ７の外形に対応するよう形成される。本実施形態では、窪み部６１の内面は若干傾斜しており、カメラ７はやや下方向を向いた状態で取り付けられる。また、円筒部６２は、支柱１の外径よりも大きな内径を有している。そのため、支柱１の上端をこの円筒部６２に挿入することで、カメラホルダ６を支柱１に取り付けることができる。
【００３０】
なお、円筒部６２の軸方向の長さは一部の領域で他の領域よりも短くなっている。具体的には、第１下端領域６２１は、第２下端領域６２２よりも円筒部６２の軸方向の長さが短くなっている。そのため、第１下端領域６２１と第２下端領域６２２との間で段差６２３が生じている。ここで、カメラホルダ６は、円筒部６２の第１下端領域６２１がストッパ６３に軸方向に係止することで、支柱１に取り付けられている。そのため、ストッパ６３が段差６２３に接触するまで、カメラホルダ６を軸周りに回転させることができる。医療用スタンド装置１０は、このようなカメラホルダ６を介して、カメラ７を支持する。なお、ストッパ６３は、例えば、ネジ、ナット等である。
【００３１】
［フックユニット３］
次に、図１及び図５〜図８を用いて、本実施形態に係るフックユニット３を説明する。図５は、本実施形態に係るフックユニット３の構成を例示する。図６は、本実施形態に係るフックユニット３の構成を例示する分解斜視図である。図７は、本実施形態に係るフックユニット３の構成を例示する底面分解斜視図である。図８は、本実施形態に係るフックユニット３の構成を例示する底面斜視図である。
【００３２】
図５〜図８に例示されるように、フックユニット３は、直方体状の基部３０と、この基部３０から支柱１の径方向に延びる係合部３１と、基部３０から係合部３１の延びる長さを調節する調節用ノブ３２と、を備える。以下では、各構成について詳細に説明する。
【００３３】
（基部３０）
まず、基部３０について説明する。基部３０は、矩形状の上面板３０１と、この上面板３０１の四辺からそれぞれ下方に延びる２対の側面板３０２〜３０５と、を備える。ここでは、短手方向で対向する各側面板を第１側面板３０２、第２側面板３０３と称し、それと直交する長手方向で対向する各側面板を第３側面板３０４、第４側面板３０５と称することとする。
【００３４】
第１側面板３０２及び第２側面板３０３には、図７及び図８で例示されるように、それぞれの下端から水平方向内側に延びる第１底面板３０６及び第２底面板３０７が設けられている。第３側面板３０４には、図５で例示されるように、左右方向両側に、前後方向に貫通する一対の開口部３０４ａが設けられている。第４側面板３０５には、図６〜図８で例示されるように、中央付近に、前後方向に貫通する開口部が設けられている。
【００３５】
また、上面板３０１の中央から前方、第３側面板３０４付近には、第１底面板３０６及び第２底面板３０７の間を通って下方に延びる円筒部３０８が設けられている。この円筒部３０８に支柱１を挿通させることで、基部３０は支柱１に取り付けられる。ここで、円筒部３０８の内径は支柱１の外径よりも大きくなっており、これにより、基部３０は支柱１の軸方向（上下方向）に固定されず自在に移動できるようになっている。
【００３６】
ここで、図５に例示されるように、支柱１の外周壁には、一対のストッパ（３３、３４）が設けられている。ストッパ３３は、支柱１の軸方向において基部３０の下側に配置されており、支柱１の外径とストッパ３３の長さとの合計が円筒部３０８の内径を超えるように、支柱１の径方向に延びている。そのため、ストッパ３３は、軸方向における基部３０の下方向の移動を規制する。具体的には、円筒部３０８の下端がストッパ３３に係止されることで、基部３０の下方向の移動は規制される。
【００３７】
同様に、ストッパ３４は、支柱１の軸方向において基部３０及びストッパ３３の上側に配置されており、支柱１の外径とストッパ３４の長さとの合計が円筒部３０８の内径を超えるように、支柱１の径方向に延びている。そのため、ストッパ３４は、軸方向における基部３０の上方向の移動を規制する。具体的には、円筒部３０８の上端及び上面板３０１がストッパ３４に係止されることで、基部３０の上方向の移動は規制される。
【００３８】
すなわち、一対のストッパ（３３、３４）によって、基部３０（フックユニット３）の上下方向の移動範囲が規定される。両ストッパ（３３、３４）は、実施の形態に応じて適宜構成されてよく、例えば、ネジ、ナット等で構成される。なお、ストッパ３３は本発明の「第１ストッパ」に相当し、ストッパ３４は本発明の「第２ストッパ」に相当する。
【００３９】
（係合部３１）
次に、係合部３１について説明する。係合部３１は、前記方向に進退可能に基部３０に取り付けられ、ベッドのフレームに係合する構成である。本実施形態に係る係合部３１は、図６及び図７で例示されるように、垂直方向（上下方向）の断面がＬ字状の鉤状部材３１１と、この鉤状部材３１１の基部３０側の端に設けられる端部３１２と、を備える。
【００４０】
本実施形態に係る鉤状部材３１１は、パイプ状の部材を折り曲げることで形成されている。この鉤状部材３１１は、下方に延びるＵ字状の第１部分３１１ａと、この第１部分３１１ａの両端から基部３０の方に延びる一対の第２部分３１１ｂと、を含んでいる。この一対の第２部分３１１ｂは第１部分３１１ａに直交しており、これにより、鉤状部材３１１の垂直方向の断面がＬ字状に形成されている。
【００４１】
この一対の第２部分３１１ｂの基部３０側の端には直方体状の端部３１２が取り付けられている。端部３１２の左右方向の両側には一対の取付部３１４が設けられており、この一対の取付部３１４に一対の第２部分３１１ｂそれぞれの端部を挿入して固定することで、鉤状部材３１１の基部３０側の端に端部３１２が取り付けられる。また、端部３１２の中央には、前後方向に貫通する円筒状の挿入穴３１３が設けられている。挿入穴３１３には後述する軸体３２３が挿通できるようになっており、この挿入穴３１３の内壁には雌ねじが形成されている。
【００４２】
この係合部３１は、図８で例示されるように、上面板３０１及び両底面板（３０６、３０７）によって上下に、第１側面板３０２及び第２側面板３０３によって左右に端部３１２が挟持されることで、基部３０に取り付けられている。ここで、端部３１２は、円筒部３０８よりも第４側面板３０５側に配置されており、円筒部３０８と第４側面板３０５との間を前後方向に移動できるように構成されている。
【００４３】
鉤状部材３１１の両第２部分３１１ｂそれぞれは、この端部３１２から第３側面板３０４側に延びて、第３側面板３０４に設けられた開口部３０４ａを貫通する。これにより、鉤状部材３１１は、基部３０の第３側面板３０４から突出する。後述するように、係合部３１は、この鉤状部材３１１の第３側面板３０４から突出した部分によって、ベッドのフレームに係合する。
【００４４】
（調節用ノブ３２）
次に、調節用ノブ３２について説明する。調節用ノブ３２は、基部３０から係合部３１の延びる長さを調節するための構成である。図７で例示されるように、調節用ノブ３２は、利用者が把持する丸形の取手部３２１と、取手部３２１よりも小径である円筒部３２２と、円筒部３２２よりも小径である円筒状の軸体３２３と、を備える。調節用ノブ３２は、第４側面板３０５側に取り付けられる。
【００４５】
具体的には、第４側面板３０５の中央に設けられる開口部より、円筒部３２２は大径となっており、軸体３２３は小径となっている。そのため、調節用ノブ３２は、第４側面板３０５の開口部に軸体３２３を貫通した状態で、基部３０に取り付けられる。取手部３２１は、円筒部３２２の長さの分だけ第４側面板３０５から外側に離間することになり、利用者が把持しやすいようになっている。
【００４６】
一方、基部３０の内部に挿入される軸体３２３は、第４側面板３０５から円筒部３０８までの長さよりも短くなっており、その外周壁には雄ネジが形成されている。この軸体３２３の雄ネジは、係合部３１の挿入穴３１３に形成された雌ネジに対応して設けられている。そのため、係合部３１及び調節用ノブ３２を基部３０に取り付けた状態では、図８で例示されるように、係合部３１の端部３１２は、円筒部３０８から第４側面板３０５側に配置されている。そして、調節用ノブ３２の軸体３２３は第４側面板３０５側から挿入穴３１３に挿入され、軸体３２３の雄ネジは挿入穴３１３の雌ネジに噛合する。
【００４７】
これにより、利用者は、前後方向に移動可能となっている端部３１２の位置を固定し、鉤状部材３１１の第３側面板３０４から突出する長さを設定することができる。また、利用者は、取手部３２１を回転操作することで、端部３１２を前後方向に移動させて、鉤状部材３１１の第３側面板３０４から突出する長さを調節することができる。
【００４８】
ここで、図９及び図１０を用いて、この係合部３１の長さ（鉤状部材３１１の突出長）の調節について説明する。図９は、本実施形態に係る係合部３１の突出長を短くした場合におけるフックユニット３の状態を例示する。図１０は、本実施形態に係る係合部３１の突出長を長くした場合におけるフックユニット３の状態を例示する。
【００４９】
利用者が取手部３２１を回転操作すると、軸体３２３の雄ネジ及び挿入穴３１３の雌ネジの作用によって、端部３１２は前後方向に移動する。例えば、利用者は、取手部３２１を左回りに回転させることで、端部３１２を第４側面板３０５側に移動させて、鉤状部材３１１の突出長を短くすることができる。ここで、鉤状部材３１１の第２部分３１１ｂは、第３側面板３０４及び第４側面板３０５の間の長さよりも長くなっている。そのため、利用者は、第４側面板３０５に接するまで端部３１２を移動させて、鉤状部材３１１の突出長を短くすることができる。本実施形態では、図９で例示されるように、この状態での係合部３１が最も突出長が短くなっている。
【００５０】
また、例えば、利用者は、取手部３２１を右回りに回転させることで、端部３１２を円筒部３０８側に移動させて、鉤状部材３１１の突出長を長くすることができる。この場合、利用者は、円筒部３０８の外周壁に接するまで端部３１２を移動させて、鉤状部材３１１の突出長を長くすることができる。本実施形態では、図１０で例示されるように、この状態での係合部３１が最も突出長が長くなっている。
【００５１】
したがって、利用者は、係合部３１の端部３１２及び調節用ノブ３２の作用によって、係合部３１の突出長を調節することができる。つまり、係合部３１の端部３１２及び調節用ノブ３２は、本発明の「基部から係合部の延びる長さを調節する調節機構」に相当する。
【００５２】
§２  使用例
最後に、図１１を用いて、本実施形態に係る医療用スタンド装置１０の使用例を説明する。図１１は、本実施形態に係る医療用スタンド装置１０がベッド８に固定された状態を例示する。なお、以下で説明する使用手順は一実施例に過ぎず、利用者は、適宜、手順の変更、置換等を行うことができる。
【００５３】
［操作手順］
医療用スタンド装置１０をベッド８に固定する場合、まず、図１１に例示されるように、医療用スタンド装置１０をベッド８に隣接して配置する。そして、利用者は、フックユニット３を把持して、ベッド８のフレーム８１の上端よりも鉤状部材３１１の第１部分３１１ａの下端が高くなるように、フックユニット３を持ち上げる。
【００５４】
次に、利用者は、鉤状部材３１１の第１部分３１１ａがフレーム８１よりもベッドの内側にくるようにする。その後に、利用者は、フックユニット３を下に降ろす。そうすると、鉤状部材３１１の第２部分３１１ｂがフレーム８１の上に載置され、鉤状部材３１１の第１部分３１１ａと支柱１とでフレーム８１を挟持したような状態になり、鉤状部材３１１がフレーム８１に引っ掛かった状態になる。すなわち、係合部３１がフレーム８１に係合した状態になる。これにより、図１１で例示されるような状態で、医療用スタンド装置１０をベッド８に固定することができる。
【００５５】
［特徴］
この係合部３１がフレーム８１に係合した状態では、鉤状部材３１１の第１部分３１１ａと支柱１とでフレーム８１を挟持している。そのため、この状態では、鉤状部材３１１の第１部分３１１ａと支柱１との間の距離によって、医療用スタンド装置１０とフレーム８１との水平方向の距離が規定される。これによって、本実施形態によれば、ベッド８を水平方向に移動させても、医療用スタンド装置１０は、ベッド８から離れることなく、その移動に追従してベッド８に隣接した状態を維持することができる。すなわち、医療用スタンド装置１０をベッド８に固定した状態を維持することができる。
【００５６】
また、ベッド８が例えば電動ベッドであり、ベッド８の高さを変更できる場合がある。このような場合であっても、フックユニット３は上下方向に移動自在であるため、ベッド８の高さの変更に追従して、係合部３１がフレーム８１に係合した状態を維持することができる。
【００５７】
例えば、ベッド８の高さを上昇させた場合、鉤状部材３１１はフレーム８１に下から押し上げられるものの、鉤状部材３１１の第２部分３１１ｂがフレーム８１の上に載置した状態は維持される。そのため、ベッド８の高さを上昇させても、係合部３１がフレーム８１に係合した状態は維持される。
【００５８】
また、例えば、ベッド８の高さを下降させた場合でも、フレーム８１の下降に応じてフックユニット３は自重で下降し、鉤状部材３１１の第２部分３１１ｂがフレーム８１の上に載置した状態は維持される。そのため、ベッド８の高さを下降させても、係合部３１がフレーム８１に係合した状態は維持される。
【００５９】
すなわち、フックユニット３はベッド８の高さの変更に追従することができるため、係合部３１とフレーム８１との係合は、利用者がフックユニット３を操作して、フレーム８１から係合部３１を外さない限り、維持される。つまり、ベッド８の高さを変更した後にベッド８を水平方向に移動させても、医療用スタンド装置１０は、ベッド８から離れることはなく、その移動に追従してベッド８に隣接した状態を維持することができる。
【００６０】
したがって、本実施形態によれば、上記のようなフックユニット３の作用によって、係合部３１をフレーム８１に係合させれば、医療用スタンド装置１０をベッド８に適切に固定することができる。
【００６１】
また、本実施形態では、医療用スタンド装置１０をベッド８に適切に固定するための作業として、利用者は、フックユニット３を持ち上げてフレーム８１上に降ろす作業を行うことになる。ここで、フックユニット３は、支柱１の軸方向に固定されずに移動自在に構成されている。そのため、利用者は、このような作業を行う場合に、フックユニット３の固定の解除等の作業を行う必要はなく、フックユニット３の単純な昇降作業によって、医療用スタンド装置１０をベッド８に適切に固定することができる。したがって、本実施形態によれば、簡易な方法で医療用スタンド装置１０をベッド８に適切に固定することができる。
【００６２】
また、本実施形態では、調節用ノブ３２を操作することで、鉤状部材３１１の第３側面板３０４からの突出長を調節することができる。そのため、例えば、利用者は、係合部３１をフレーム８１に係合させやすいように鉤状部材３１１を長めに突出させておき、係合部３１をフレーム８１に係合させた後に、鉤状部材３１１の長さを適切な長さに調節することができる。したがって、本実施形態によれば、フックユニット３の係合部３１は種々のベッド８のフレーム８１に適合させやすく、かつ、医療用スタンド装置１０を容易にベッド８に固定することができる。
【００６３】
また、本実施形態では、フックユニット３の下方向の移動を規制するため、支柱１にはストッパ３３が設けられている。そのため、上下方向に自在に移動できるこのフックユニット３を利用しない場合であっても、ストッパ３３の高さにフックユニット３を留めることができる。よって、フックユニット３が支柱１の下端に落下してしまうことで、脚部２に干渉するのを防ぐことができる。
【００６４】
また、フックユニット３が支柱１の下端に落下していると、フックユニット３を利用する際には、利用者は、支柱１の下端からフックユニット３を引き上げなければならない。しかしながら、本実施形態では、フックユニット３はストッパ３３の高さで留まっているため、利用者は、フックユニット３を支柱１の下端から引き上げなくてもよくなる。よって、本実施形態によれば、フックユニット３の利便性を高めることができる。
【００６５】
なお、ストッパ３３の配設される位置は、実施の形態に応じて適宜設定されてもよい。例えば、ストッパ３３は、ベッド８の高さを変更した場合にフックユニット３がその高さの変更に追従できるように、ベッド８を最も低くした場合におけるフレーム８１の上端の位置に鉤状部材３１１が移動可能な位置に配置されてもよい。
【００６６】
また、本実施形態では、フックユニット３の上方向の移動を規制するため、支柱１にはストッパ３４が更に設けられている。このストッパ３４と上記ストッパ３３とによって、フックユニット３の上下方向の移動範囲が規定されている。そのため、フックユニット３の存在範囲を限定的にすることができるため、フックユニット３が支柱１の全体に干渉することを防止し、医療用スタンド装置１０の利便性を高めることができる。本実施形態では、例えば、フックユニット３が、タブレットホルダ４又はカメラホルダ６に物理的に接触し、これらの操作を阻害することを防止することができる。
【００６７】
また、本実施形態では、脚部２の第１脚材２１及び第２脚材２２は、ベッド８の下に収納可能なように所定角度の範囲内に存在するよう構成される。そのため、ベッド８の下側が空洞になっているような状況では、医療用スタンド装置１０をベッド８に隣接させた場合に、脚部２の第１脚材２１及び第２脚材２２をベッド８の下に収納することができる。そのため、医療用スタンド装置１０の脚部２がベッド周辺を移動する者の邪魔にならないようにすることができ、ベッド周辺のスペースを有効に利用することが可能になる。
【００６８】
§３  変形例
以上、本発明の一実施形態について説明したが、本発明は上記各実施形態に限定されるものではなく、その趣旨を逸脱しない限り、種々の変形が可能である。上記医療用スタンド装置１０の具体的な構成に関して、実施の形態に応じて、適宜、構成要素の省略、置換、及び追加が行われてもよい。また、上記医療用スタンド装置１０の具体的な構成に関して、各構成要素の数、位置、大きさ、及び形状は、実施の形態に応じて、適宜、選択及び変更されてもよい。更に、上記医療用スタンド装置１０の各構成要素は、任意の素材で作製されてもよく、例えば、金属、合成樹脂等で作製される。
【００６９】
例えば、上記医療用スタンド装置１０は、見守りシステムを構成するタブレットＰＣ５及びカメラ７を医療用器具として保持する。しかしながら、医療用スタンド装置１０が保持する医療用器具は、このような例に限定されなくてもよく、実施の形態に応じて適宜選択されてもよい。医療用スタンド装置１０は、例えば、輸液剤の封入された輸液用バック等を保持してもよい。
【００７０】
また、例えば、上記医療用スタンド装置１０の脚部２はＶ字状（二股）に形成される。しかしながら、脚部２の種類及び脚材の数は、このような例に限定されなくてもよく、実施の形態に応じて適宜選択さてもよい。例えば、脚部２は四脚で構成されてもよい。
【００７１】
また、例えば、上記医療用スタンド装置１０の鉤状部材３１１は垂直方向の断面がＬ字状に形成される。しかしながら、鉤状部材３１１の形状は、このような例に限定されなくてもよく、実施の形態に応じて適宜選択されてもよい。例えば、鉤状部材３１１は、垂直方向の断面がＵ字状、Ｊ字状、Ｖ字状、丸形等に形成されてもよい。また、鉤状部材３１１は、パイプ状の部材で構成されなくてもよく、板状の部材で構成されてもよい。鉤状部材３１１を構成する部材は、実施の形態に応じて適宜選択されてもよい。
【００７２】
また、上記実施形態では、医療用スタンド装置１０はベッド８に隣接して配置されている。しかしながら、医療用スタンド装置１０を固定できる対象物は、ベッド８に限定されずに、実施の形態に応じて適宜選択されてもよい。なお、係合部３１を係合させることのできるフレームを有する対象物であれば、医療用スタンド装置１０を固定することができる。図１２及び図１３を用いて、医療用スタンド装置１０を固定することのできる対象物を例示する。
【００７３】
図１２は、医療用スタンド装置１０を固定する対象物として、可動机９０が例示されている。図１２で例示される可動机９０の上端には上方に伸びる柵９０１が設けられている。そのため、鉤状部材３１１をこの柵９０１に引掛けることで、医療用スタンド装置１０を可動机９０に固定することが可能である。このように本実施形態に係る医療用スタンド装置１０は、対象物の上側から鉤状部材３１１を引掛けることが可能であれば、その対象物に固定することが可能である。
【００７４】
また、図１３は、医療用スタンド装置１０を固定する対象物として、窓９１が例示されている。図１３で例示される窓の前方には手すり９１１が設けられている。そのため、鉤状部材３１１をこの手すり９１１に引掛けることにより、医療用スタンド装置１０を窓９１に固定することが可能である。このように、本実施形態に係る医療用スタンド装置１０は、このような枠状の部材が存在する対象物にも固定することが可能である。
【符号の説明】
【００７５】
１…支柱、１０…医療用スタンド装置、
２…脚部、
２０…基台部、２０１…挿入穴、２１…第１脚材、２２…第２脚材、
３…フックユニット、
３０…基部、
３０１…上面板、３０２…第１側面板、３０３…第２側面板、
３０４…第３側面板、３０４ａ…開口部、３０５…第４側面板、
３０６…第１底面板、３０７…第２底面板、３０８…円筒部、
３１…係合部、
３１１…鉤状部材、３１１ａ…第１部分、３１１ｂ…第２部分、
３１２…端部、３１３…挿入穴、３１４…取付部、
３２…調節用ノブ、３２１…取手部、３２２…円筒部、３２３…軸体、
３３…ストッパ（第１ストッパ）、３４…ストッパ（第２ストッパ）、
４…タブレットホルダ、
４０…支柱把持部、４１…タブレット保持部、４２…固定用ノブ、
５…タブレットＰＣ
６…カメラホルダ、
６０…支持台、６１…窪み部、
６２…円筒部、６２１…第１下端領域、６２２…第２下端領域、６２３…段差、
６３…ストッパ、
７…カメラ、
８…ベッド、８１…フレーム
【図１】
2015146869.tif 000003
【図２】
2015146869.tif 000004
【図３】
2015146869.tif 000005
【図４】
2015146869.tif 000006
【図５】
2015146869.tif 000007
【図６】
2015146869.tif 000008
【図７】
2015146869.tif 000009
【図８】
2015146869.tif 000010
【図９】
2015146869.tif 000011
【図１０】
2015146869.tif 000012
【図１１】
2015146869.tif 000013
【図１２】
2015146869.tif 000014
【図１３】
2015146869.tif 000015